(57)【特許請求の範囲】
【請求項１】
スピーカボックス内にスピーカを収納して成るスピーカ装置において、
前記スピーカの取付け板を兼用する前記スピーカボックスのフロントパネルと、
前記フロントパネルに形成されている放音口と、
前記フロントパネルに設けられているダクトと、
前記放音口と前記ダクトの前面側の開口を覆うように取付けられているカバーと、
を具備し、前記カバーは前記放音口よりも大きく形成され、前記放音口に隣接して配される前記ダクトの前面側の開口の前方に延出され、前記カバーの側端と前記フロントパネルとの間に放音用の隙間が形成され、しかも前記カバーが前記スピーカボックスの取手を兼用することを特徴とするスピーカ装置。
【請求項２】
前記フロントパネルが合成樹脂によって一体に成形されている成形体から構成されるとともに、該成形体に形成されている縦長の開口によって前記放音口が構成されていることを特徴とする請求項１に記載のスピーカ装置。
【請求項３】
前記カバーが前記放音口の長さ方向の端部側にそれぞれ一対の脚部を備え、該脚部が前記フロントパネルの前記ダクトの前面側の開口の両側の脚部挿通孔に挿通され、内側から止着手段によって止着されることを特徴とする請求項２に記載のスピーカ装置。
【発明の詳細な説明】
【０００１】
【発明の属する技術分野】
本発明はスピーカ装置に係り、とくにスピーカボックス内にスピーカを収納して成るスピーカ装置に関する。
【０００２】
【従来の技術】
一般にスピーカ装置は、ダイナミックスピーカから構成されるスピーカ本体をスピーカボックス内に収納するようにしている。この場合において、スピーカボックスの前面板に形成されている開口の部分にスピーカの前面側の振動板の部分が臨むようにしてこの前面板の内側にスピーカが取付けられるようになっている。そして上記前面板の放音口を構成する開口を覆うようにグリルを取付けるようにしている。
【０００３】
【発明が解決しようとする課題】
従来のこのような構成によれば、スピーカの前面板の開口を覆うようにグリルを取付けなければならず、固定手段を介して前面板の外側にグリルを装着するようにしている。このようなグリルは外力に対して比較的弱いために、異物等がグリルを破ってスピーカの振動板に接触し、スピーカを損傷させる可能性がある。また従来のグリルは音の広がりを任意に調整することができない。
【０００４】
本発明はこのような問題点に鑑みてなされたものであって、放音口を覆うようにグリルを装着することを必要とせず、スピーカを安全に保護することが可能なスピーカボックスを有するスピーカ装置を提供することを目的とするものである。
【０００５】
【課題を解決するための手段】
本願の主要な発明は、スピーカボックス内にスピーカを収納して成るスピーカ装置において、
前記スピーカの取付け板を兼用する前記スピーカボックスのフロントパネルと、
前記フロントパネルに形成されている放音口と、
前記フロントパネルに設けられているダクトと、
前記放音口と前記ダクトの前面側の開口を覆うように取付けられているカバーと、
を具備し、前記カバーは前記放音口よりも大きく形成され、前記放音口に隣接して配される前記ダクトの前面側の開口の前方に延出され、前記カバーの側端と前記フロントパネルとの間に放音用の隙間が形成され、しかも前記カバーが前記スピーカボックスの取手を兼用するようにしたものである。
【０００７】
フロントパネルを合成樹によって一体に成形されている成形体から構成するとともに、この成形体に形成されている縦長の開口によって放音口を構成してよい。
【０００８】
前記カバーが前記放音口の長さ方向の端部側にそれぞれ一対の脚部を備え、該脚部が前記フロントパネルの前記ダクトの前面側の開口の両側の脚部挿通孔に挿通され、内側から止着手段によって止着されるようにしてよい。
【００１０】
【発明の実施の形態】
図１が本発明の一実施の形態に係るスピーカボックスの全体の外観形状を示している。このスピーカボックス１０はハイインパクトポリスチレン樹脂の通常の射出成形体から構成されており、その前面側が開口になっている。そしてこの開口を塞ぐようにスピーカボックス１０はフロントパネル１１と組合わされるようになっている。フロントパネル１１の表面であってその中間位置よりもやや下方位置には、図２および図３に示すように縦長の開口１２から成る放音口が形成されるとともに、この開口１２を覆うようにフロントパネル１１にカバー１３が結合されるようになっている。カバー１３は合成樹脂、例えばハイインパクトポリスチレンの射出成形体によって一体に成形されたほぼ板状の形状をなす部材で、取手を兼用するようになっている。
【００１１】
上記カバー１３によって覆われる開口１２の内側において、フロントパネル１１には図２、図３、図５および図６に示すようにスピーカ１４が取付けられるようになっている。そしてこのようなスピーカ１４の上下にそれぞれ位置するようにダクト１５、１６がフロントパネル１１の内側に突設されるようになっている。これらのダクト１５、１６はそれぞれ低域側の再生音を放出するためのものである。
【００１２】
開口１２によって形成される放音口はフロントパネル１１に形成されている凹部５９内に設けられており、しかもこの開口１２の周縁部にはリブ６０が形成され、縦長の放音口１２が形成されるようになっている。そして凹部５９の上下の部分には図５および図６に示すように、それぞれ取付け座６１が形成されるとともに、これらの取付け座６１の部分には上記カバー１３の上下の端部が固定されるようになっている。なお放音口１２のリブ６０の前端部とカバー１３の内表面との間には隙間が形成され、この隙間を通してスピーカ１４の再生音が凹部５９から前方に放音される。
【００１３】
上下の取付け座６１にはそれぞれ左右一対ずつの脚部挿通孔６２が形成されるとともに、これらの脚部挿通孔６２には、上記カバー１３の内側であってその上下の部分にそれぞれ形成されている左右一対ずつの脚部６３が挿通されるようになっている。このような脚部６３は脚部挿通孔６２を挿通した状態において、図６に示すようにフロントパネル１１の内側から固定用ビス６４によってダクト１５、１６の両側の部分に固定されるようになっている。
【００１４】
上記フロントパネル１１の内側であって放音口を構成する縦長の開口１２の周囲の部分には図６および図７に示すようにリング状リブ６６が形成されている。そしてこのようなリブ６６に当接するように、スピーカ１４が取付けられている。すなわちこのフロントパネル１１のリング状リブ６６の部分がスピーカ１４の取付け座を構成しており、フロントパネル１１がスピーカ１４の取付け板を兼用するようになっている。
【００１５】
フロントパネル１１の上端側には図１および図２に示すように、傾斜面から成るコントロールパネル面１８が形成されており、このようなコントロールパネル面１８はに調整つまみ１９、２０、切換えつまみ２１、押釦２２等がそれぞれ設けられている。
【００１６】
これらの調整つまみ１９、２０および切換えつまみ２１、押釦２２によって調整されるボリューム２５やスイッチ等の可変素子が、このフロントパネル１１のコントロールパネル面１８の内側において該コントロールパネル面１８と直角をなすように斜めに配されているプリント基板２６の前端部にマウントされている。そしてこのプリント基板２６と連結されるように別のプリント基板２７が水平に配されている。これらのプリント基板２６、２７上にはそれぞれ電子部品２８がマウントされ、ブラケット２９および円柱状ボス３０を介してプリント基板２６、２７の接合部がフロントパネル１１によって支持されるようになっている。なお水平に配されているプリント基板２７の後端部は保持爪３１を介してスピーカボックス１０の背面側の部分に支持されている。プリント基板２７の下面には電子部品２８とともにヒートシンク３２がマウントされるようになっている。
【００１７】
スピーカボックス１０の背面側であってその上部側の部分には開口３４、３５がそれぞれ形成されている。これらの開口３４、３５はスピーカボックス１０の内部空間の上側の部分の換気を図るようにし、あるいはまた外部の装置との接続のためのジャックを挿入するためのものである。そしてこのような開口３４、３５を備えるスピーカボックス１０の上側の空間は仕切り板３６によってスピーカ１４が収納されている下側の空間と区画されるようになっている。仕切り板３６は図３に示すように、この内部を横切るように設けられている。そしてこの仕切り板３６の前端側の両側の部分がそれぞれフロントパネル１１の両側に形成されているガイドリブ３７によって挟着保持されるようになっている。
【００１８】
スピーカボックス１０の仕切り板３６の下側の空間には上述の如くスピーカ１４が収納されるようになっている。またこのスピーカ１４の背面側であってスピーカボックス１０の背面部の内側には図２に示すようにマウント座４０が設けられており、このマウント座４０にトランス４１がマウントされている。
【００１９】
次にこのようなスピーカボックス１０の制振構造について説明する。図２および図３に示すように、スピーカボックス１０内には、背面側から前方へ突出するように、仕切り板３６の上側に左右一対の円筒状ボス４５が突設されている。また仕切り板３６の下側には、上下２段に左右一対ずつ合計４本の円筒状ボス４６がマウントされるようになっている。上側の円筒状ボス４５は図２に示すようにフロントパネル１１の内側に突設されている円柱状ボス４４と結合されるようになっている。これに対して仕切り板３６の下側の４本の円筒状ボス４６は制振部材４７およびフロントパネル１１の内側に突設されている円柱状ボス４９と結合されるようになっている。
【００２０】
図４および図５に示すように制振部材４７はこのスピーカボックス１０の内部空間を横方向に横切るように配されている。そしてこの制振部材４７に設けられている一対の保持筒４８によって円筒状ボス４６の先端部を受入れるようにしている。保持筒４８の先端部はフロントパネル１１の内側に突設されている円柱状ボス４９と当接されるようになっている。そして円筒状ボス４６の背面側から内部を通して挿入されるビス５１をこの円筒状ボス４６の前端側のビス挿通孔５０を挿通させ、先端部を円柱状ボス４９にねじ込むことによって、円筒状ボス４６と制振部材４７の保持筒４８と、そして円柱状ボス４９とが互いに結合されるようにしている。なお円筒状ボス４６はとくに図４に示すように、リブ５２によってその側面であって根元側の部分が左右の側板部５５に一体に連結されるようになっている。
【００２１】
上記制振部材４７はその長さ方向の両端がこのスピーカボックス１０の左右の側板部５５と当接するようになっている。しかも制振部材４７の左右の端部と側板部５５との間には不織布から成る緩衝材５４が介在されるようになっており、このような緩衝材５４を介して制振部材４７が両側の側板部５５を外側に押し広げるように押圧している。このような制振部材４７の制振作用によって側板部５５の振動に伴う箱鳴りをより確実に防止するようにしている。
【００２２】
以上のような構成において、スピーカボックス１０内に収納されるとともに、フロントパネル１１に取付け固定されているスピーカ１４のボイスコイルに駆動電流を流すと、ボイスコイルの軸線方向の振動によって振動板が振動し、再生音が縦長の開口から成る放音口１２を通して前方に放出される。また低域側の再生音は上下のダクト１５、１６を通して放出されることになる。
【００２３】
このようなスピーカ装置によれば、とくにフロントパネル１１の放音口１２の外側からこの放音口１２を覆うようにカバー１３が取付けられているために、開口１２をグリル等によって覆う必要がなく、このためにグリルを必要としなくなる。そしてハイインパクトポリスチレン等の合成樹脂成形体から成るカバー１３に一体に形成されている脚部６３を脚部挿通孔６２内に挿通させ、内側から固定用ビス６４で固定するだけでカバー１３が取付け固定されるために、放音口１２を覆うカバー１３の構造を簡潔にすることが可能になる。またこのようなカバー１３によって放音口１２の穴が外部に露出することがなくなる。また異物等に接触しても、カバー１３によって異物がスピーカ１４の振動板に接触することがなく、スピーカ１４を安全に保護できるようになる。
【００２４】
またこのような放音口１２はその周囲にリブ６０が形成されるとともに、この放音口１２を覆うようにカバー１３が装着されるようになっているために、このような放音口１２および放音口１２を形成した凹部５９の形状やリブ６０の高さ、あるいはまたカバー１３の形状やその配置の位置等によって音の広がりを調整することが可能になり、従来のグリルを装着した放音口に比べて音の広がりの調整が容易に行ない得るようになる。
【００２５】
またカバー１３と放音口１２のリブ６０の前端との間に隙間が形成されており、凹部５９によってカバー１３の内側に手を挿入し、カバー１３を取手としてスピーカボックス１０を保持できるようになる。よって取扱いおよび持運びが便利なスピーカ装置を提供することが可能になる。
【発明の効果】
以上のように本願の主要な発明は、スピーカボックス内にスピーカを収納して成るスピーカ装置において、スピーカの取付け板を兼用する前記スピーカボックスのフロントパネルと、フロントパネルに形成されている放音口と、フロントパネルに設けられているダクトと、放音口とダクトの前面側の開口を覆うように取付けられているカバーと、を具備し、カバーは放音口よりも大きく形成され、放音口に隣接して配されるダクトの前面側の開口の前方に延出され、カバーの側端とフロントパネルとの間に放音用の隙間が形成され、しかもカバーがスピーカボックスの取手を兼用するようにしたものである。
【００２６】
従ってカバーによって放音口を外側から覆うことが可能になり、放音口にグリルを装着する必要がなくなる。またカバーがスピーカボックスの取手を兼用するようになっているために、カバーを兼ねる取手によってスピーカボックスを容易に持運ぶことができ、取扱いが容易なスピーカボックスを有するスピーカ装置が提供される。
【００２７】
フロントパネルを合成樹脂によって一体に成形されている成形体から構成するとともに、この成形体に形成されている縦長の開口によって放音口を構成すると、構造が簡潔で組立てが容易なスピーカボックスを備えるスピーカ装置を提供することが可能になる。
【００２９】
カバーが放音口の長さ方向の端部側にそれぞれ一対の脚部を備え、該脚部がフロントパネルのダクトの前面側の開口の両側の脚部挿通孔に挿通され、内側から止着手段によって止着されるようにした構成によれば、カバーがフロントパネル上に容易かつ確実に取付けられるようになる。
【図面の簡単な説明】
【図１】本発明の一実施の形態に係るスピーカ装置の外観斜視図である。
【図２】同スピーカ装置の縦断面図である。
【図３】別の角度から見たスピーカ装置の縦断面図である。
【図４】スピーカ装置の横断面図である。
【図５】フロントパネルの構造を示す要部分解斜視図である。
【図６】同要部縦断面図である。
【図７】同要部横断面図である。
【符号の説明】
１０  スピーカボックス
１１  フロントパネル
１２  開口（放音口）
１３  カバー
１４  スピーカ
１５  ダクト（上）
１６  ダクト（下）
１８  コントロールパネル面（傾斜面）
１９、２０  調整つまみ
２１  切換えつまみ
２２  押釦
２５  ボリューム
２６、２７  プリント基板
２８  電子部品
２９  ブラケット
３０  円柱状ボス
３１  保持爪
３２  ヒートシンク
３４、３５  開口
３６  仕切り板
３７  ガイドリブ
４０  マウント座
４１  トランス
４４  円柱状ボス
４５、４６  円筒状ボス
４７  制振部材
４８  保持筒
４９  円柱状ボス
５０  ビス挿通孔
５１  ビス
５２  リブ
５４  緩衝材（不織布）
５５  側板部
５９  凹部
６０  リブ
６１  取付け座
６２  脚部挿通孔
６３  脚部
６４  固定用ビス
６６  リング状リブ
【図１】
0003832514.tif 000002
【図２】
0003832514.tif 000003
【図３】
0003832514.tif 000004
【図４】
0003832514.tif 000005
【図５】
0003832514.tif 000006
【図６】
0003832514.tif 000007
【図７】
0003832514.tif 000008